(57)【要約】【課題】過去に記録した放送データを再生する際に、好適なデータ放送の表示を可能とすることが可能な情報処理装置及び情報処理方法を提供する。【解決手段】ＴＳ  Ｄｅｍｕｘ部１１４ｂは保存された録画データ１２０の映像データを分離し、Ｍｐｅｇ２デコーダ１１８は映像データを復号化する。ＴＳ  Ｄｅｍｕｘ部１１４ａはＴＶチューナ部１１２が再生時に受信した放送データからデータ放送情報を分離し、ＢＭＬエンジン１１６はデータ放送情報に含まれるＢＭＬからデータ放送に関する画像を得るための情報を取得する。表示合成部１２４は、データ放送に関する画像と映像データに関する画像とを合成して同時に表示させる。これにより、過去に記録した放送データを再生する際に、過去の映像データに関する画像と最新のデータ放送に関する画像とを同時に表示することができる。【選択図】図２
2008277907.tif 000002
【特許請求の範囲】
【請求項１】
映像データとデータ放送情報とが重畳された放送データを受信する受信手段と、
前記受信手段が受信した前記放送データの前記映像データを記録する記録手段と、
前記記録手段が記録した前記映像データから得られる画像と、前記受信手段が別時刻に受信した放送データのデータ放送情報から得られる画像とを同時に表示する表示手段と、
を備える情報処理装置。
【請求項２】
前記表示手段は、前記放送データに係る電子番組ガイド情報が、前記データ放送情報は前記映像データに固有のものであることを示さないときに、前記記録手段が記録した前記映像データから得られる画像と、前記受信手段が別時刻に受信した前記データ放送情報から得られる画像とを同時に表示する、請求項１に記載の情報処理装置。
【請求項３】
前記表示手段は、前記受信手段が受信した前記放送データの前記データ放送情報から得られる画像と、前記受信手段が別時刻に受信した放送データのデータ放送情報から得られる画像との相違度が閾値未満であるときに、前記記録手段が記録した前記映像データから得られる画像と、前記受信手段が別時刻に受信した放送データのデータ放送情報から得られる画像とを同時に表示する、請求項１又は２に記載の情報処理装置。
【請求項４】
前記記録手段は、前記受信手段が別時刻に受信した放送データのデータ放送情報を記録し、
前記表示手段は、前記記録手段が記録した前記映像データから得られる画像と、前記受信手段が別時刻に受信し前記記録手段が記録した放送データのデータ放送情報から得られる画像とを同時に表示する、請求項１〜３のいずれか１項に記載の情報処理装置。
【請求項５】
受信手段が、映像データとデータ放送情報とが重畳された放送データを受信し、
記録手段が、前記受信手段が受信した前記放送データの前記映像データを記録し、
表示手段が、前記記録手段が記録した前記映像データから得られる画像と、前記受信手段が別時刻に受信した放送データのデータ放送情報から得られる画像とを同時に表示する、情報処理方法。
【発明の詳細な説明】
【技術分野】
【０００１】
本発明は情報処理装置及び情報処理方法に関し、特に、デジタルＴＶ放送の映像データとデータ放送情報とが重畳された放送データを録画及び再生することが可能な情報処理装置及び情報処理方法に関するものである。
【背景技術】
【０００２】
ユーザが過去に録画したＴＶ放送を再生して視聴するときに、現在の状況とのタイムラグによる混乱が生じないようにする技術が提案されている。例えば、特許文献１では、時刻が重要となるような録画番組の再生時に、時刻に関係する番組内容を、再生時刻を考慮した番組内容に編集し、再生する映像再生装置が開示されている。特許文献１の映像再生装置は、放送データを再生するときに、放送時刻を取得し、取得した放送時刻と現在時刻に基づいて放送データの編集を行う。特許文献１の映像再生装置は、例えば、番組内にキャスターが「今日の天気予報は・・・」と話している内容がある場合に、録画時刻、再生時刻から、ユーザが混乱しないよう、「明日は」の部分を「今日は」と音声を編集する。
【特許文献１】特開２００６−３１１１６３号公報
【発明の開示】
【発明が解決しようとする課題】
【０００３】
ところで、デジタルＴＶ放送では、放送画像の一部領域内において、放送番組のコンテンツと共に、その時点での天気、株価等の情報をユーザに配信するデータ放送が行われている。データ放送も時刻が重要となる場合があるが、録画したデジタルＴＶ放送のデータ放送部分については、再生時にタイムラグを軽減することは考慮されていない。
【０００４】
本発明は、かかる事情に鑑みてなされたものであり、その目的は、過去に記録した放送データを再生する際に、好適なデータ放送の表示を可能とする情報処理装置及び情報処理方法を提供することにある。
【課題を解決するための手段】
【０００５】
本発明は、映像データとデータ放送情報とが重畳された放送データを受信する受信手段と、受信手段が受信した放送データの映像データを記録する記録手段と、記録手段が記録した映像データから得られる画像と、受信手段が別時刻に受信した放送データのデータ放送情報から得られる画像とを同時に表示する表示手段と、を備える情報処理装置である。
【０００６】
また、本発明は、受信手段が、映像データとデータ放送情報とが重畳された放送データを受信し、記録手段が、受信手段が受信した放送データの映像データを記録し、表示手段が、記録手段が記録した映像データから得られる画像と、受信手段が別時刻に受信した放送データのデータ放送情報から得られる画像とを同時に表示する、情報処理方法である。
【発明の効果】
【０００７】
本発明の情報処理装置及び情報処理方法によれば、過去に記録した放送データを再生する際に、好適なデータ放送の表示が可能となる。
【発明を実施するための最良の形態】
【０００８】
以下、本発明の実施の形態に係る情報処理装置及び情報処理方法について添付図面を参照して説明する。
【０００９】
まず、図１を参照して、本発明の第１実施形態に係る情報処理装置について説明する。図１は、本発明の情報処理装置の第１実施形態であるＰＣ（Personal  Computer）１０のハードウェアの構成を示す図である。図１に示すように、ＰＣ１０は、メモリ１６、ＨＤＤ２０、制御部２２、ＬＣＤ２６、入力装置２８及びバス３０を備えている。
【００１０】
ＴＶチューナ部１２は、デジタルＴＶ放送の伝送信号の周波数を選択することにより、映像データとデータ放送情報とが重畳されたデジタルＴＶ放送の放送データを受信するためのものである。ＴＶチューナ部１２は、受信手段として機能する。
【００１１】
ＨＤＤ（Hard  Disk  Drive）２０は、ＴＶチューナ部１２が受信したデジタルＴＶ放送の放送データを記録するためのものである。ＨＤＤ２０は、記録手段として機能する。
【００１２】
制御部２２は、ＣＰＵ（Central  Processing  Unit）から構成され、ＰＣ１０全体の動作を制御するためのものである。制御部２２は、ＨＤＤ２０からメモリ１６にロードされるプログラムを実行し、ユーザによるキーボード、マウス、リモートコントローラ等の入力装置２８からの操作に従い、ＴＶチューナ部１２が受信したデジタルＴＶ放送の放送データをＨＤＤ２０に記録し、ＨＤＤ２０に記録された放送データの映像データから得られる画像を再生する。
【００１３】
ＬＣＤ（Liquid  Cristal  Display）２６は、デジタルＴＶ放送の放送データの映像データから得られる画像と、同じくデジタルＴＶ放送のデータ放送情報から得られる画像とを同時に表示する。特に本実施例のＬＣＤ２６は、ＨＤＤ２０が記録したデジタルＴＶ放送の放送データの映像データから得られる画像と、ＴＶチューナ部１２が別時刻に受信したデジタルＴＶ放送の放送データのデータ放送情報から得られる画像とを同時に表示することができる。
【００１４】
図２は、本発明の情報処理装置の第１実施形態であるＰＣ１０のソフトウェアの構成を示す図であり、各構成は、ＨＤＤ２０からメモリ１６にロードされるプログラムが実行する機能を示す。ＴＶチューナ部１１２は、図１のＴＶチューナ部１２と同様の機能を果たし、映像データとデータ放送情報とが重畳されたデジタルＴＶ放送の放送データを受信する。
【００１５】
保存された録画データ１２０は、ＴＶチューナ部１１２が受信し、ＨＤＤ２０が記録した映像データとデータ放送情報とが重畳されたデジタルＴＶ放送の放送データである。
【００１６】
ＴＳ  Ｄｅｍｕｘ１１４ａは、ＴＶチューナ部１１２が受信した映像データとデータ放送情報とが重畳されたデジタルＴＶ放送の放送データを、映像データとデータ放送情報とに分離するためのものである。また、ＴＳ  Ｄｅｍｕｘ１１４ｂは、ＨＤＤ２０が記録した映像データとデータ放送情報とが重畳されたデジタルＴＶ放送の放送データを、映像データとデータ放送情報とに分離するためのものである。
【００１７】
ＢＭＬエンジン１１６は、ＴＳ  Ｄｅｍｕｘ１１４ａがデジタルＴＶ放送の放送データから分離したデータ放送情報に含まれるデータ放送のための放送記述言語であるＢＭＬ（Ｂｒｏａｄｃａｓｔ  Ｍａｒｋｕｐ  Ｌａｎｇｕａｇｅ）から、データ放送に関する画像を得るための情報を抽出するためのものである。
【００１８】
Ｍｐｅｇ２デコーダ１１８は、ＴＳ  Ｄｅｍｕｘ１１４ｂがデジタルＴＶ放送の放送データから分離した映像データを復合化して映像データに関する画像を得るためのものである。
【００１９】
表示合成部１２４は、ＢＭＬエンジン１１６からのＢＭＬにより得られたデータ放送に関する画像と、Ｍｐｅｇ２デコーダ１１８により得られた映像データに関する画像とを合成して、ＬＣＤ２６に同時に表示させるためのものである。
【００２０】
次に、図３〜５を参照して、本実施形態のＰＣ１０の録画再生動作について説明する。以下、デジタルＴＶ放送番組の録画再生時に、デジタルＴＶ放送の放送データにおける映像データから得られる画像とデータ放送情報から得られる画像とをＬＣＤ２６に同時に表示させるように、ユーザが入力装置２８を操作した場合について説明する。図３（ａ）は、保存された録画データ１２０から得られる画像である。画像３００ａは、図３（ｂ）に示すような過去のデジタルＴＶ放送の放送データにおける映像データから得られる画像であるＴＶ放送領域４００ａと、図３（ｃ）に示すような過去のデジタルＴＶ放送のデータ放送情報から得られる画像であるデータ放送領域５００ａとからなる。本実施形態では、保存された録画データ１２０からＴＳ  Ｄｅｍｕｘ１１４ｂが映像データを分離する。そして、本実施形態では、Ｍｐｅｇ２デコーダ１１８が分離された映像データを復号化して、図３(ｂ)に示すＴＶ放送領域４００ａの画像を得る。
【００２１】
一方、図４（ａ）は、再生時にＴＶチューナ部１１２が受信するデジタルＴＶ放送の放送データから得られる画像である。画像３００ｂは、図４（ｂ）に示すような最新のデジタルＴＶ放送の放送データにおける映像データから得られた画像であるＴＶ放送領域４００ｂと、図４（ｃ）に示すような最新のデジタルＴＶ放送のデータ放送情報から得られた画像であるデータ放送領域５００ｂとからなる。本実施形態では、ＴＶチューナ部１１２が受信した放送データからＴＳ  Ｄｅｍｕｘ１１４ａがデータ放送情報を分離する。そして、本実施形態では、ＢＭＬエンジン１１６がデータ放送に関する画像を得るための情報を抽出して、図４(ｃ)に示すデータ放送領域５００ｂの画像を得る。
【００２２】
図５（ａ）〜（ｃ）に示すように、表示合成部１２４は、過去のＴＶ放送領域４００ａの画像と最新のデータ放送領域５００ｂの画像とを、合成してＬＣＤ２６に同時に表示させる。
【００２３】
図６に示すように、従来の技術では、保存された録画データ１２０を、ＴＳ  Ｄｅｍｕｘ１１４ｂが映像データとデータ放送情報とに分離する。Ｍｐｅｇ２デコーダ１１８は、映像データを復号化してＴＶ放送領域４００ａの画像を得る。また、ＢＭＬエンジン１１６は、データ放送情報に含まれるＢＭＬからデータ放送領域５００ａの画像を得るための情報を取得する。表示合成部１２４は、ＴＶ放送領域４００ａの画像とデータ放送領域５００ａの画像とをＬＣＤ２６に同時に表示させる。そのため、従来は、録画時点でのニュースや天気予報を含むデータ放送が再生される。したがって、例えば、１ヶ月前に録画された番組を再生するときであっても、ユーザはデータ放送におけるニュースや天気予報等の情報については最新のものを視聴したいところ、過去の情報をそのまま視聴せざるを得ない。
【００２４】
一方、本実施形態によれば、過去のＴＶ放送領域４００ａの画像と最新のデータ放送領域５００ｂの画像とを同時に表示する。このため、本実施形態では、録画したデジタルＴＶ放送の画像を再生するときに、データ放送部分について最新の内容と置き換えて再生（表示）を行うため、例えば、１ヶ月前に録画された番組を再生するときであっても、データ放送に関しては、ユーザは、ニュースや天気予報等については最新の情報を視聴することができる。
【００２５】
以下、本発明の第２実施形態について説明する。図７は、第２実施形態に係る情報処理を示すフロー図である。本実施形態では、図３（ａ）に示すような画像３００ａを再生する場合、制御部２２は、ＴＶチューナ部１１２がデジタルＴＶ放送の放送データを受信し、ＨＤＤ２０に記録されているデジタルＴＶ番組のＥＰＧ（Electronic  Program  Guide：電子番組ガイド）データを取得する（Ｓ１）。
【００２６】
制御部２２は、ＥＰＧデータにより、データ放送が、例えば旅番組でのその旅館の情報や、フィギィアスケート中継における現在の順位や、映画番組における出演情報等の番組内容に連動しているコンテンツである場合は（Ｓ２）、録画データをそのまま再生する（Ｓ５）。
【００２７】
制御部２２は、再生時にＴＶチューナ部１１２が受信しているデータ放送領域５００ｂの画像の形態と、録画されているデータ放送領域５００ａの画像の形態とを比較する。比較する形態としては、データ放送領域５００ａ，５００ｂ同士の大きさ（画像全体に対する割合）、領域の形状、タイトル、本文に含まれる文字の共通性等がある。現在のデータ放送領域５００ｂの画像の形態と、過去のデータ放送領域５００ａの画像の形態との相違が閾値以上であるときは（Ｓ３）、録画データをそのまま再生する（Ｓ５）。
【００２８】
一方、制御部２２は、ＥＰＧデータにより、データ放送が、番組内容に連動しているコンテンツでない場合であり（Ｓ２）、現在のデータ放送領域５００ｂの画像の形態と、過去のデータ放送領域５００ａの画像の形態との相違度が閾値未満であるときは（Ｓ３）、データ放送領域５００ａをＴＶチューナ部１２が受信した最新のデータ放送領域５００ｂに置き換えて再生させる（Ｓ４）。
【００２９】
本実施形態では、制御部２２は、データ放送領域５００ａが番組内容に連動しているコンテンツであるか否かを、ＥＰＧデータや、現在のデータ放送領域５００ｂの画像の形態と過去のデータ放送領域５００ａの画像の形態との相違度から判断する。データ放送領域５００ａが番組内容に連動しているコンテンツである場合には、データ放送領域の形態が通常のものとは異なっている場合が多いため、現在のデータ放送領域５００ｂの画像の形態と過去のデータ放送領域５００ａの画像の形態との相違度から、当該データ放送領域が番組内容に連動しているコンテンツであるか否かを判断することができる。
【００３０】
制御部２２は、データ放送領域５００ａが番組内容に連動しているコンテンツであると判断した場合には、データ放送領域５００ａを置換せず、そのまま再生させる。一方、制御部２２は、データ放送領域５００ａが番組内容に連動しているコンテンツではないと判断した場合には、データ放送領域５００ａをＴＶチューナ部１２が受信した最新のデータ放送領域５００ｂに置き換えて再生させる。
【００３１】
このため、本実施形態では、データ放送が、例えば旅番組でのその旅館の情報等の番組内容に連動しているコンテンツであり、他の内容に置き換えない方が望ましい場合は録画されたデータ放送領域５００ａをそのまま再生することができる。また、本実施形態では、データ放送が、番組内容に連動しているコンテンツではなく、最新の内容に置き換えた方が望ましい場合には、録画されたデータ放送領域５００ａを最新のデータ放送領域５００ｂに置き換えて再生することができる。
【００３２】
以下、本発明の第３実施形態について説明する。図８は、第３実施形態に係る情報処理を示すフロー図である。図８に示すように、本実施形態では、ＴＶチューナ部１１２が取得した各放送局の最新のデータ放送領域５００ｂに関するＢＭＬは、ＨＤＤ２０の最新ＢＭＬ保存領域１１２に逐次記録される。保存された録画データ１２０から得られる画像を再生する場合には、上記第１実施形態と同様にして、表示合成部１２４が再生する画像３００ａのデータ放送領域４００ａを、ＴＶチューナ部１２が別途取得しＨＤＤ２０の最新ＢＭＬ保存領域に保存された比較的新しいデータ放送領域４００ｂに置換し、過去のＴＶ放送領域４００ａの画像と比較的新しいデータ放送領域５００ｂの画像とを同時にＬＣＤ２６に表示させる。
【００３３】
本実施形態においては、各放送局の最新のデータ放送内容を保持しておく部分をＨＤＤ２０に設けることで、ＴＶチューナ部１１２が他のチャネルの番組をいわゆる裏録画中であり、再生時にＴＶチューナ部１１２がデータ放送内容を取得することが出来ない場合でも、比較的新しいデータ放送内容に、過去のデータ放送内容を置き換えて再生することができる。また、上記第２実施形態で示したように、再生時にＴＶチューナ部１１２が取得したデータ放送の内容が番組内容に連動しているコンテンツであり、録画されたデータ放送の内容を再生時にＴＶチューナ部１１２が取得したデータ放送の内容に置き換えることが望ましくない場合にも、本実施形態では、比較的新しいデータ放送内容に、過去のデータ放送内容を置き換えて再生することができる。
【００３４】
以上、本発明の実施の形態について説明したが、本発明は、上記実施形態に限定されるものではなく種々の変形が可能である。
【図面の簡単な説明】
【００３５】
【図１】第１実施形態に係るＰＣのハードウェアの構成を示す図である。
【図２】第１実施形態に係るＰＣのソフトウェアの構成を示す図である。
【図３】（ａ）〜（ｃ）は、第１実施形態に係る画像処理を模式的に示す図である。
【図４】（ａ）〜（ｃ）は、第１実施形態に係る画像処理を模式的に示す図である。
【図５】（ａ）〜（ｃ）は、第１実施形態に係る画像処理を模式的に示す図である。
【図６】第２実施形態に係る情報処理を示す図である。
【図７】第２実施形態に係る情報処理を示すフロー図である。
【図８】第３実施形態に係る情報処理を示す図である。
【符号の説明】
【００３６】
１０…パーソナルコンピュータ、１２…ＴＶチューナ部、１６…メモリ、２０…ＨＤＤ、２２…制御部、２６…ＬＣＤ、２８…入力装置、１１２…ＴＶチューナ部、１１４ａ，１１４ｂ…ＴＳ  Ｄｅｍｕｘ、１１６…ＢＭＬエンジン、１１８…Ｍｐｅｇ２デコーダ、１２０…保存された録画データ、１２１…最新ＢＭＬ保存領域、１２４…表示合成部、３００ａ，３００ｂ，３００ｃ…画像、４００ａ，４００ｂ…ＴＶ放送領域、５００ａ，５００ｂ…データ放送領域。
【図１】
2008277907.tif 000003
【図２】
2008277907.tif 000004
【図３】
2008277907.tif 000005
【図４】
2008277907.tif 000006
【図５】
2008277907.tif 000007
【図６】
2008277907.tif 000008
【図７】
2008277907.tif 000009
【図８】
2008277907.tif 000010